(57)【特許請求の範囲】
【請求項１】
小型電子機器１０を電子機器本体１１に着脱自在に保持するようにした小型電子機器の着脱装置において、前記小型電子機器１０に形成した係止部１６と、前記電子機器本体１１に形成し、前記係止部１６に係合するロック用突起部１２と、前記電子機器本体１１に形成され、前記小型電子機器１０を外す方向に移動したとき前記ロック用突起部１２とともに屈曲可能な板ばね部２７と、この板ばね部２７の屈曲を制限してロックするロック釦２９とからなり、ロック釦２９は、一体に形成したロック用突起部３５を、板ばね部２７の屈曲位置に臨ませたロック位置と、板ばね部２７の屈曲位置から外れたロック解除位置との２位置に変更できるようにしたことを特徴とする小型電子機器の着脱装置。
【請求項２】
小型電子機器１０を電子機器本体１１に着脱自在に保持するようにした小型電子機器の着脱装置において、前記小型電子機器１０に形成した係止部１６と、前記電子機器本体１１に形成し、前記係止部１６に係合するロック用突起部１２と、前記電子機器本体１１に形成され、前記小型電子機器１０を外す方向に移動したとき前記ロック用突起部１２とともに屈曲可能な板ばね部２７と、この板ばね部２７の屈曲を制限してロックするロック釦２９とからなり、ロック釦２９は、位置決めばね部３６を一体に成型し、この位置決めばね部３６を、電子機器本体１１に設けたロック釦収納部３１のロック位置決め凹部３２と解除位置決め凹部３３とに選択的に係合してロック位置と、ロック解除位置との２位置に変更保持できるようにしたことを特徴とする小型電子機器の着脱装置。
【請求項３】
板ばね部２７は、電子機器本体１１の小型電子機器取付け部１９に一体成型したモールドばねからなることを特徴とする請求項１または２記載の小型電子機器の着脱装置。
【発明の詳細な説明】
【０００１】
【発明の属する技術分野】
本発明は、バッテリを電子カメラやビデオカメラのバッタリケースに着脱自在にセットしたり、電子カメラやビデオカメラを再生機器に着脱自在にセットしたりするなど、バッテリその他の小型電子機器１０を電子機器本体１１に着脱自在にセットするための小型電子機器の着脱装置に関するものである。
【０００２】
【従来の技術】
従来、図５に示すように、バッテリなどの小型電子機器１０をバッテリケースなどの電子機器本体１１にセットしようとするときは、鎖線で示す位置でバッテリ１０の底部によりロック用突起部１２を出没孔１５に押し込みながら図中左方へスライドさせる。バッテリ１０の係止部１６とロック用突起部１２とが一致すると、コイルばね１３によりロック用突起部１２が上昇してバッテリ１０はロックされる。
ロックされたバッテリ１０を取り出すときは、ロック解除釦１７を押し込むと、ロック解除釦１７と一体の傾斜長孔１８が前進する。すると、傾斜長孔１８がロック用突起部１２の突部１４と係合しているため、ロック用突起部１２は下降する。そのため、バッテリ１０は、図中右方へ移動でき、ロック状態が外れる。
【０００３】
その他、バッテリその他の小型電子機器１０をバッテリケースその他の電子機器本体１１に着脱自在にセットする機構は種々提案されているが、ほとんどの場合、ロック用突起部１２をコイルばね１３で弾性的に付勢して保持し、また、ロック解除釦１７によりコイルばね１３を圧縮してロック用突起部１２を退出する方法が採用されていた。
【０００４】
【発明が解決しようとする課題】
このような従来の着脱装置では、コイルばね１３の弾性的な力だけでロック用突起部１２を保持し、固定的な保持がなされていなかったため、何らかの衝撃でコイルばね１３が圧縮されるとロック状態が外れ、バッテリなどの小型電子機器１０が抜け出ることがあった。
【０００５】
また、バッテリなどの小型電子機器１０を保持するために、少なくともロック用突起部１２、コイルばね１３、ロック解除釦１７を必要とし、部品点数が多くなるという問題があった。
【０００６】
本発明は、部品点数が少なく、しかも、固定的で確実なロックができ、さらに、取り外しも簡単にできる小型電子機器の着脱装置を提供することを目的とするものである。
【０００７】
【課題を解決するための手段】
本発明は、小型電子機器１０を電子機器本体１１に着脱自在に保持するようにした小型電子機器の着脱装置において、前記小型電子機器１０に形成した係止部１６と、前記電子機器本体１１に形成し、前記係止部１６に係合するロック用突起部１２と、前記電子機器本体１１に形成され、前記小型電子機器１０を外す方向に移動したとき前記ロック用突起部１２とともに屈曲可能な板ばね部２７と、この板ばね部２７の屈曲を制限してロックするロック釦２９とからなり、前記板ばね部２７は、電子機器本体１１の小型電子機器取付け部１９に一体成型したモールドばねからなり、前記ロック釦２９は、一体に形成したロック用突起部３５を、板ばね部２７の屈曲位置に臨ませたロック位置と、板ばね部２７の屈曲位置から外れたロック解除位置との２位置に変更でき、かつ、ロック釦２９に一体に成型した位置決めばね部３６を、電子機器本体１１に設けたロック釦収納部３１のロック位置決め凹部３２と解除位置決め凹部３３とに選択的に係合して、ロック位置とロック解除位置との２位置に保持できるようにしたことを特徴とする小型電子機器の着脱装置である。
【０００８】
小型電子機器１０を電子機器本体１１に係止し、ロック釦２９をずらすと、ロック用突起部３５が板ばね部２７の下面のロック位置に移動するとともに、位置決めばね部３６がロック位置決め凹部３２に嵌合し、板ばね部２７の下方への屈曲が制限される。このため、小型電子機器１０を外そうとしてもロック用突起部１２と板ばね部２７は下方へ屈曲できず、小型電子機器１０はロックされた状態となる。この状態でのロックは、ばね性などで保持されているのではなく、固定的に保持され、かつ、位置決めばね部３６がロック位置決め凹部３２に嵌合してロック釦２９の移動を制限しているので、外れる恐れがほとんどなく極めて確実である。
【０００９】
小型電子機器１０を外すときは、ロック釦２９のつまみ３８を反対方向にずらすと、位置決めばね部３６が解除位置決め凹部３３に嵌合し、かつ、ロック用突起部３５が板ばね部２７の下面のロック位置から移動するので、小型電子機器１０を手前に引くと、係止部１６によりロック用突起部１２が下方へ押し出され、板ばね部２７が屈曲し、さらに小型電子機器１０を手前に引くと係止突起２３が係合溝２４から外れて小型電子機器１０を取り出せる。
【００１０】
【発明の実施の形態】
本発明の実施例を図１ないし図４に基づき説明する。
１０は、小型電子機器である。以下の説明における小型電子機器１０は、着脱自在にセットするバッテリの場合を例とする。
このバッテリ１０の底面には、中央部分の前端部に案内溝２１が形成され、後端部分に係止部１６が形成されている。また、このバッテリ１０の底面の両側には、２個ずつの係止突起２３が一体に設けられている。
【００１１】
１１は、電子機器本体１１である。以下の説明における電子機器本体１１は、前記バッテリ１０を着脱自在に取り付けるためのバッテリケースの場合を例とし、このバッテリケース１１は、電子カメラ、ビデオカメラなどの端部に後述の下部ケース２８とともに一体に取り付けられているものである。
このバッテリケース１１の小型電子機器取付け部としてのバッテリ取付け部１９には、前記案内溝２１に対応して案内突条２２が形成され、また、前記係止部１６に対応してロック用突起部１２が形成され、さらに、バッテリケース１１の前端下面部に、後述するロック釦２９の移動用の摺動切欠き３０が形成されている。
【００１２】
前記ロック用突起部１２は、板ばね部２７の上面の先端部に一体に設けられたもので、この板ばね部２７は、バッテリ取付け部１９にコ字形の切り込み２６を形成して一体に設けられたモールドばねである。なお、この板ばね部２７の裏面の基端部には、ばね力を強くするとともに、長期間の屈伸に耐えるように、図２に示すように補強突部３９を一体に形成する。
また、前記バッテリ取付け部１９の両側には、２個所ずつ突起２５を一体に設けて、前記係止突起２３の係合する係合溝２４がそれぞれ対応した位置に形成されている。
【００１３】
前記下部ケース２８の前端部上面には、前記ロック釦２９が組み込まれるための略長方形のロック釦収納部３１が形成されている。このロック釦収納部３１には、前板との間に摺動溝３４が設けられ、また、背板部分には、ロック位置決め凹部３２と解除位置決め凹部３３の２つの凹部が形成されている。
このロック釦収納部３１に、ロック釦２９を嵌め込むと、図４に示すように、つまみ３８が摺動切欠き３０から外部へ突出し、摺動溝３４に摺動板部３７が遊嵌し、ロック用突起部３５の部分と位置決めばね部３６とがロック釦収納部３１内に嵌合される。このとき、位置決めばね部３６は、弾力性を有するようにＬ字形に一体に成型されているので、先端の突起が解除位置決め凹部３３に嵌合している状態では、ロックの解除状態を確実に保持し、また、ロック位置決め凹部３２に嵌合している状態では、ロック状態を確実に保持する。
【００１４】
以上のように構成された下部ケース２８のロック釦収納部３１にロック釦２９を嵌合し、ついで、下部ケース２８の上にバッテリケース１１を載せてねじなどで一体に固定し、さらに、電子カメラ、ビデオカメラなどに予め取り付けられている。
【００１５】
このバッテリケース１１のバッテリ取付け部１９にバッテリ１０をセットするときには、ロック釦２９のつまみ３８を図１中右方向に移動させ、位置決めばね部３６を解除位置決め凹部３３に嵌合しておく。このとき、ロック釦２９のロック用突起部３５は、図３の実線にて示すような板ばね部２７の下面からずれた状態、すなわち、ロック用突起部１２を設けた板ばね部２７の下面には十分な隙間が生じている状態にある。
【００１６】
この状態でバッテリ１０を、案内溝２１と係止部１６が下面となるようにして、それぞれ案内突条２２とロック用突起部１２に一致させ、かつ、バッテリ１０をバッテリ取付け部１９よりやや手前に引いた位置で上から下ろして嵌合する。このとき、バッテリ１０の両側の係止突起２３は、バッテリケース１１の突起２５からややずれた位置にある。
【００１７】
バッテリ１０の底面とバッテリ取付け部１９の上面が密着した状態でバッテリ１０を前方へずらしながら押し込むと、バッテリ１０の係止突起２３がバッテリケース１１の係合溝２４に係合する。ついで、ロック釦２９のつまみ３８を図１中左方へずらすと、ロック用突起部３５が図３の鎖線のように板ばね部２７の下面に位置するとともに、位置決めばね部３６がロック位置決め凹部３２に嵌合し、板ばね部２７の下方への屈曲が制限される。このため、バッテリ１０を外そうとしてバッテリ１０を手前に引いてもロック用突起部１２と板ばね部２７は下方へ屈曲せず、バッテリ１０はロックされた状態となる。この状態でのロックは、ばね性などで保持されているのではなく、固定的に保持され、かつ、位置決めばね部３６がロック位置決め凹部３２に嵌合してロック釦２９の移動を制限しているので、外れる恐れがほとんどなく極めて確実である。
【００１８】
バッテリ１０を外すときは、ロック釦２９のつまみ３８を図１中右方へずらすと、位置決めばね部３６が解除位置決め凹部３３に嵌合し、かつ、ロック用突起部３５が板ばね部２７の下面から移動するので、バッテリ１０を手前に引くと、係止部１６によりロック用突起部１２が下方へ押し出され、板ばね部２７が屈曲し、さらにバッテリ１０を手前に引くと係止突起２３が係合溝２４から外れてバッテリ１０を取り出せる。
【００１９】
前記実施例では、小型電子機器１０がバッテリで、電子機器本体１１がバッテリケースの場合を説明したが、これに限られるものではなく、小型電子機器１０が電子カメラ又はビデオカメラで、電子機器本体１１が再生機など、小型電子機器１０やそのアクセサリー全般に使用することができる。
【００２０】
【発明の効果】
本発明の請求項１によれば、板ばね部２７は、電子機器本体１１に形成され、小型電子機器１０を外す方向に移動したときロック用突起部１２とともに屈曲可能とし、この板ばね部２７の屈曲を制限する位置にロック釦２９を設けたので、この状態でのロックは、ばね性などで保持されているのではなく、固定的に保持されているので、小型電子機器１０の外れる恐れがほとんどなく極めて確実に保持できる。
【００２１】
本発明の請求項２及び請求項３によれば、板ばね部２７は、電子機器本体１１の小型電子機器取付け部１９に一体成型したモールドばねからなり、また、ロック釦２９は、一体に形成したロック用突起部３５を、板ばね部２７の屈曲位置に臨ませたロック位置と、板ばね部２７の屈曲位置から外れたロック解除位置との２位置に変更できるようにしたので、別体のコイルばねやロックするための部品などを必要とせず、部品点数を削減して安価に提供できる。
【００２２】
本発明の請求項４によれば、ロック釦２９は、一体に成型した位置決めばね部３６を、電子機器本体１１に設けたロック釦収納部３１のロック位置決め凹部３２と解除位置決め凹部３３とに選択的に係合してロック位置と、ロック解除位置との２位置に変更保持できるようにしたので、ロック釦２９が位置決めばね部３６によりロック位置決め凹部３２と解除位置決め凹部３３に嵌合してロック釦２９の移動を制限して、位置ずれや外れる恐れがほとんどなく極めて確実に位置保持ができる。
【図面の簡単な説明】
【図１】本発明による小型電子機器の着脱装置の一実施例を示す分解斜視図である。
【図２】本発明の小型電子機器の着脱装置を用いて小型電子機器１０を電子機器本体１１に係止した状態を示し、図３のＡ−Ａ線断面図である。
【図３】本発明の小型電子機器の着脱装置を用いて小型電子機器１０を電子機器本体１１に係止した状態を示し、図２のＢ−Ｂ線断面図である。
【図４】本発明の小型電子機器の着脱装置を用いて小型電子機器１０を電子機器本体１１に係止した状態を示し、図２のＣ−Ｃ線断面図である。
【図５】従来の小型電子機器の着脱装置を示す要部の断面図である。
【符号の説明】
１０…バッテリなどの小型電子機器、１１…バッテリケースなどの電子機器本体、１２…ロック用突起部、１３…コイルばね、１４…突部、１５…出没孔、１６…係止部、１７…ロック解除釦、１８…傾斜長孔、１９…バッテリなどの小型電子機器取付け部、２１…案内溝、２２…案内突条、２３…係止突起、２４…係合溝、２５…突起、２６…切り込み、２７…板ばね部、２８…下部ケース、２９…ロック釦、３０…摺動切欠き、３１…ロック釦収納部、３２…ロック位置決め凹部、３３…解除位置決め凹部、３４…摺動溝、３５…ロック用突起部、３６…位置決めばね部、３７…摺動板部、３８…つまみ、３９…補強突部。
【図１】
0003667982.tif 000002
【図２】
0003667982.tif 000003
【図３】
0003667982.tif 000004
【図４】
0003667982.tif 000005
【図５】
0003667982.tif 000006